(57)【特許請求の範囲】
【請求項１】
上下方向、周方向及び厚さ方向を有するフレキシブルコンテナであって、
胴部を含むコンテナ本体と、
前記胴部における前記周方向の複数の箇所に、所定の間隔で、前記厚さ方向の外側から縫着された複数の補強布と、
前記複数の補強布の各々と共に、前記厚さ方向の外側から、前記胴部と共に縫着された少なくとも二本の吊りベルトと、
を備え、
前記二本の吊りベルトの各々は、中央部をループ状に折り曲げられ、両端部が前記中央部よりも前記上下方向の下方に位置するように前記補強布に縫着され、
前記二本の吊りベルトにおいて、前記両端部のうちの一方である第１端部はいずれも前記補強布における前記周方向の中央の部分に、前記両端部のうちの他方である第２端部は、それぞれ前記補強布における前記周方向の一方側及び他方側の外寄りの部分に、それぞれ縫着され、
前記第１端部は、前記第２端部よりも前記上下方向の上方に位置し、
前記補強布の前記上下方向の下方の端縁は、前記胴部に縫着されていない、
フレキシブルコンテナ。
【請求項２】
前記二本の吊りベルトの一方における前記第１端部と、前記二本の吊りベルトの他方における前記第１端部とは、前記厚さ方向に積層されている、
請求項１に記載のフレキシブルコンテナ。
【請求項３】
前記補強布は、前記補強布における前記周方向の両側の端縁を、前記上下方向に沿って前記胴部に縫着されており、
前記二本の吊りベルトにおける前記第２端部の前記上下方向の下方の端縁は、前記補強布における前記上下方向の下方の端縁に対して、前記上下方向の上方に離間している、
請求項１又は２に記載のフレキシブルコンテナ。
【請求項４】
前記胴部は、略直方体の形状を有し、
前記直方体の矩形状の四つの側面の各々において、
前記二本の吊りベルトの各々における前記第１端部は、前記周方向の中央に位置し、
前記二本の吊りベルトの各々における前記第２端部は、当該第１端部における前記上下方向の下方の端縁のうちの前記周方向の中心と、前記側面における前記上下方向の下方の角のうちの当該第２端部側の角と、を結ぶ仮想的な傾斜線を含んだ、所定幅の傾斜領域内に位置する、
請求項１乃至３のいずれか一項に記載のフレキシブルコンテナ。
【請求項５】
前記傾斜線が前記側面における前記上下方向の下方の端縁と成す角は、４５°±２０°である、
請求項４に記載のフレキシブルコンテナ。
【請求項６】
前記二本の吊りベルトの一方に関する前記傾斜線と前記二本の吊りベルトの他方に関する前記傾斜線とが前記上下方向の下方に成す角は、９０°±４０°である、
請求項４又は５に記載のフレキシブルコンテナ。
【請求項７】
前記胴部は、織物で形成されており、
前記胴部は、前記胴部における前記上下方向の一方の端縁から他方の端縁まで延び、前記補強布と重なる領域であって、前記上下方向に延びる構成繊維が他の領域よりも多く織り込まれた増織り領域を含む、
請求項１乃至６のいずれか一項に記載のフレキシブルコンテナ。
【請求項８】
前記胴部を囲むように前記胴部に縫着された胴巻きベルトを更に備え、
前記胴巻きベルトは、前記胴部に縫着されるとき、前記上下方向に沿った縫製はされていない、
請求項１乃至７のいずれか一項に記載のフレキシブルコンテナ。
【発明の詳細な説明】
【技術分野】
【０００１】
本発明は、フレキシブルコンテナに関する。
【背景技術】
【０００２】
穀物のような粉粒体の充填、輸送、保管に使用されるフレキシブルコンテナが知られている。例えば、特許文献１（特開２０１４−１５９３０５号公報）にフレコンバッグが開示されている。このフレコンバッグは、バッグ本体と、投入部と、補強布枠と、４本の吊りベルトと、を備えている。補強布枠は、バック本体の底部の下面に縫着される。４本の吊りベルトの下端部は、補強布枠の対応する隅部に巻き掛け状態で連結され、底部の外周部分のうち、補強布枠の対応する隅部の付近に縫着されている。
【先行技術文献】
【特許文献】
【０００３】
【特許文献１】特開２０１４−１５９３０５号公報
【発明の概要】
【発明が解決しようとする課題】
【０００４】
近年、フレキシブルコンテナを安全に使用（充填、保管、輸送など）する観点から、フレキシブルコンテナの更なる強度の向上が望まれている。例えば、ＪＩＳ  Ｚ  １６５１：非危険物用フレキシブルコンテナのコンテナの製品性能試験により、所定の基準を満足することが求められている。強度が更に向上すれば、吊りベルトでコンテナ本体を吊り上げようとしたとき、粉粒体の荷重でコンテナ本体が破袋する可能性を著しく低減でき、例えば、コンテナ本体における吊りベルトの下端の下側部分において、コンテナ本体が裂ける可能性を著しく低減できる。
【０００５】
特許文献１の技術でも、コンテナ本体での粉粒体の偏り（偏荷重）による吊りベルトとバック本体との縫着部の破断を抑制できるかもしれないが、フレキシブルコンテナの強度の向上としては十分とは言えない。
【０００６】
本発明の目的は、強度が改善され、コンテナ本体が破袋し難いフレキシブルコンテナを提供することにある。
【課題を解決するための手段】
【０００７】
本発明のフレキシブルコンテナは次のとおりである。（１）上下方向、周方向及び厚さ方向を有するフレキシブルコンテナであって、胴部を含むコンテナ本体と、前記胴部における前記周方向の複数の箇所に、所定の間隔で、前記厚さ方向の外側から縫着された複数の補強布と、前記複数の補強布の各々と共に、前記厚さ方向の外側から、前記胴部と共に縫着された少なくとも二本の吊りベルトと、を備え、前記二本の吊りベルトの各々は、中央部をループ状に折り曲げられ、両端部が前記中央部よりも前記上下方向の下方に位置するように前記補強布に縫着され、前記二本の吊りベルトにおいて、前記両端部のうちの一方である第１端部はいずれも前記補強布における前記周方向の中央の部分に、前記両端部のうちの他方である第２端部は、それぞれ前記補強布における前記周方向の一方側及び他方側の外寄りの部分に、それぞれ縫着され、前記第１端部は、前記第２端部よりも前記上下方向の上方に位置し、前記補強布の前記上下方向の下方の端縁は、前記胴部に縫着されていない、フレキシブルコンテナ。
【発明の効果】
【０００８】
本発明によれば、強度が改善され、コンテナ本体が破袋し難いフレキシブルコンテナを提供できる。
【図面の簡単な説明】
【０００９】
【図１】実施形態に係るフレキシブルコンテナの構成例を示す正面図である。
【図２】実施形態に係るフレキシブルコンテナの構成例を示す平面図である。
【図３】実施形態に係るフレキシブルコンテナの構成例を示す底面図である。
【図４】実施形態に係るフレキシブルコンテナの吊りベルトの構成例を示す正面図である。
【図５】実施形態に係るフレキシブルコンテナの吊りベルトと補強布との結合を説明する図である。
【図６】実施形態に係るフレキシブルコンテナの吊りベルトの位置を説明する図である。
【発明を実施するための形態】
【００１０】
本実施形態は、以下の態様に関する。
［態様１］
上下方向、周方向及び厚さ方向を有するフレキシブルコンテナであって、胴部を含むコンテナ本体と、前記胴部における前記周方向の複数の箇所に、所定の間隔で、前記厚さ方向の外側から縫着された複数の補強布と、前記複数の補強布の各々と共に、前記厚さ方向の外側から、前記胴部と共に縫着された少なくとも二本の吊りベルトと、を備え、前記二本の吊りベルトの各々は、中央部をループ状に折り曲げられ、両端部が前記中央部よりも前記上下方向の下方に位置するように前記補強布に縫着され、前記二本の吊りベルトにおいて、前記両端部のうちの一方である第１端部はいずれも前記補強布における前記周方向の中央の部分に、前記両端部のうちの他方である第２端部は、それぞれ前記補強布における前記周方向の一方側及び他方側の外寄りの部分に、それぞれ縫着され、前記第１端部は、前記第２端部よりも前記上下方向の上方に位置し、前記補強布の前記上下方向の下方の端縁は、前記胴部に縫着されていない、フレキシブルコンテナ。
【００１１】
コンテナ本体が上下方向の上方へ持ち上げられるとき、コンテナ本体では、吊りベルトの端部が縫着された縫着部分には上方に向かう力が加わり、その縫着部分の下方の下方部分には、コンテナ本体の内容物による下方に向かう荷重が加わる。ここで、フレキシブルコンテナの強度が十分でないと、その下方部分、特に、縫着部分との境界の部分が荷重に耐えきれずに裂けてしまい、そこからコンテナ本体全体に裂け目が拡がってしまうおそれがある。
ここで、発明者の検討により、以下の知見が得られた。コンテナ本体を持ち上げると、コンテナ本体の胴部では、下方部分、特に、縫着部分との境界の部分のうちの周方向の中央の部分が主に荷重を支えている。それと共に、コンテナ本体の胴部では、その中央の部分から両側の斜め下方へ向かう部分でも荷重を強く支えている。すなわち、その中央の部分から幅方向の両外側（縫着部分よりも外側も含む）かつ上下方向の下方へ向かう部分でも荷重を強く支えている。
そこで、本フレキシブルコンテナでは、二本の吊りベルトにおける第１端部は、補強布における周方向の中央の部分に縫着され、第２端部は、補強布における周方向の一方側及び他方側の外寄りの部分に縫着され、かつ、中央の第１端部は両外寄りの第２端部よりも上側に位置している。
それにより、二本の吊りベルトの各々では、第２端部が、第１端部に対して、上下方向の下方かつ周方向の外側に、すなわち斜め下側に位置している。言い換えると、中央の部分に位置する第１端部に対し、第２端部は、中央の部分の斜め下方へ向かう部分に位置している。したがって、第２端部は、コンテナ本体の胴部における荷重を強く支えている部分に縫着されている。
したがって、第２端部を介して吊りベルトで、第１端部の斜め下側に位置する荷重を強く支えている部分を吊り上げることで、第１端部の下方部分での荷重の負担を低減することができる。それにより、第１端部の下方部分で起こり易いコンテナ本体の破袋を抑制できる。すなわち、フレキシブルコンテナの強度を実質的に向上させることができる。
よって、コンテナ本体を破袋し難くすることができ、フレキシブルコンテナを安全に使用（充填、保管、輸送など）することができる。
【００１２】
［態様２］
前記二本の吊りベルトの一方における前記第１端部と、前記二本の吊りベルトの他方における前記第１端部とは、前記厚さ方向に積層されている、態様１に記載のフレキシブルコンテナ。
本フレキシブルコンテナでは、二本の吊りベルトの一方における第１端部と、二本の吊りベルトの他方における第１端部とが、厚さ方向に積層されている。すなわち、二本の吊りベルトにおける第１端部の補強布及び胴部への縫着が、第１端部一つ分に削減されている。そのため、縫着により生じ得る補強布及び胴部の強度の低下を抑制できる。それにより、コンテナ本体の破袋をより抑制できる。
【００１３】
［態様３］
前記補強布は、前記補強布における前記周方向の両側の端縁を、前記上下方向に沿って前記胴部に縫着されており、前記二本の吊りベルトにおける前記第２端部の前記上下方向の下方の端縁は、前記補強布における前記上下方向の下方の端縁に対して、前記上下方向の上方に離間している、態様１又は２に記載のフレキシブルコンテナ。
本フレキシブルコンテナでは、補強布の周方向の両側の端縁が上下方向に沿って胴部に縫着され、補強布の上下方向の下方の端縁が、二本の吊りベルトの第２端部における上下方向の下方の端縁と離間している。それにより、補強布における周方向の両側の端縁の縫着された部分のうち、上下方向の下方に位置する部分は、二本の吊りベルトにおける第１端部に対して、上下方向の下方かつ周方向の外側に、すなわち斜め下側に位置している。言い換えると、中央の部分に位置する第１端部に対し、補強布の端縁の下方に位置する縫着された部分は、中央の部分の斜め下方へ向かう部分に位置している。したがって、補強布の端縁の下方に位置する縫着された部分は、第２端部と同様に、コンテナ本体の胴部における荷重を強く支えている部分に縫着されている。そのため、補強布の端縁の下方に位置する縫着された部分で、第１端部の斜め下方に位置する荷重を強く支えている部分を支持することで、第１端部の下方部分での荷重の負担をより低減することができる。それにより、コンテナ本体の破袋をより抑制できる。
【００１４】
［態様４］
前記胴部は、略直方体の形状を有し、前記直方体の矩形状の四つの側面の各々において、前記二本の吊りベルトの各々における前記第１端部は、前記周方向の中央に位置し、前記二本の吊りベルトの各々における前記第２端部は、当該第１端部における前記上下方向の下方の端縁のうちの前記周方向の中心と、前記側面における前記上下方向の下方の角のうちの当該第２端部側の角と、を結ぶ仮想的な傾斜線を含んだ、所定幅の傾斜領域内に位置する、態様１乃至３のいずれか一項に記載のフレキシブルコンテナ。
本フレキシブルコンテナでは、第２端部は、第１端部における上下方向の下方の端縁のうちの周方向の中心と、側面における上下方向の下方の角のうちの当該第２端部側の角と、を結ぶ仮想的な傾斜線を含んでいる所定幅の傾斜領域内に位置している。この仮想的な傾斜線を含む所定幅の傾斜領域は、コンテナ本体の胴部における荷重を強く支える、中央の部分から両側の斜め下方へ向かう部分に概ね対応すると考えらえる。したがって、第２端部を、傾斜領域に縫着する、すなわち、コンテナ本体の胴部における荷重を強く支えている部分に縫着することで、第２端部を介して吊りベルトで、傾斜領域の負担をより低減することができる。それにより、コンテナ本体の破袋をより抑制できる。
【００１５】
［態様５］
前記傾斜線が前記側面における前記上下方向の下方の端縁と成す角は、４５°±２０°である、態様４に記載のフレキシブルコンテナ。
本フレキシブルコンテナでは、傾斜線が、側面における上下方向の下方の端縁と成す角は４５°±２０°である。そのため、傾斜線を含む傾斜領域は、コンテナ本体の胴部の荷重を強く支える、中央の部分から両側の斜め下方へ向かう部分に、より対応すると考えられる。それゆえ、第２端部を介して吊りベルトで、傾斜領域の負担をより低減することができ、よって、コンテナ本体の破袋をより抑制できる。
【００１６】
［態様６］
前記二本の吊りベルトの一方に関する前記傾斜線と前記二本の吊りベルトの他方に関する前記傾斜線とが前記上下方向の下方に成す角は、９０°±４０°である、態様４又は５に記載のフレキシブルコンテナ。
本フレキシブルコンテナでは、二本の吊りベルトの一方に関する傾斜線と他方に関する傾斜線とが上下方向の下方に成す角は９０°±４０°である。そのため、傾斜線を含む傾斜領域は、コンテナ本体の胴部の荷重を強く支える、中央の部分から両側の斜め下方へ向かう部分に、より対応すると考えられる。それゆえ、第２端部を介して吊りベルトにより、傾斜領域の負担をより低減することができ、よって、コンテナ本体の破袋をより抑制できる。
【００１７】
［態様７］
前記胴部は、織物で形成されており、
前記胴部は、前記胴部における前記上下方向の一方の端縁から他方の端縁まで延び、前記補強布と重なる領域であって、前記上下方向に延びる構成繊維が他の領域よりも多く織り込まれた増織り領域を含む、態様１乃至６のいずれか一項に記載のフレキシブルコンテナ。
本フレキシブルコンテナでは、胴部は、胴部における上下方向の一方の端縁から他方の端縁まで延び、補強布と重なる領域に、増織り領域を含んでいる。そのため、胴部において、二本の吊りベルトの第１端部及び第２端部に縫着される部分や、荷重が掛かる両端部の下側部分の強度を高めることができ、それらの部分の耐荷重を高めることができる。したがって、コンテナ本体が複数の吊りベルトで持ち上げられるとき、コンテナ本体の内容物の荷重でコンテナ本体が破袋することを抑制できる。
【００１８】
［態様８］
前記胴部を囲むように前記胴部に縫着された胴巻きベルトを更に備え、前記胴巻きベルトは、前記胴部に縫着されるとき、前記上下方向に沿った縫製はされていない、態様１乃至７のいずれか一項に記載のフレキシブルコンテナ。
本フレキシブルコンテナでは、胴部に縫着された胴巻きベルトを更に備えており、胴巻きベルトは、胴部に縫着されるとき、上下方向に沿った縫製はされていない。すなわち、胴巻きベルトは、胴部に縫着されるとき、周方向に沿った縫製がされている。それにより、胴部に上下方向に沿った縫目が無いので、上下方向の力（圧縮、引張）が加わっても、胴部を上下方向に裂け難くすることができる。よって、コンテナ本体を破袋し難くすることができ、フレキシブルコンテナを安全に使用（充填、保管、輸送など）することができる。
【００１９】
以下、本発明に係るフレキシブルコンテナの実施形態について説明する。
【００２０】
本実施形態では、穀物のような農産物の粉粒体の充填、輸送、保管などに使用されるフレキシブルコンテナの一例を説明する。ただし、本発明は、その例に限定されるものではなく、土木・建築の分野における粉粒体の充填、輸送、保管などに使用されるフレキシブルコンテナに対しても適用可能である。
【００２１】
図１〜図３は実施形態に係るフレキシブルコンテナ１の構成例を示す図である。図１はフレキシブルコンテナ１を展開した状態を示す正面図であり、図２は平面図であり、図３は底面図である。フレキシブルコンテナ１は、互いに直交する上下方向Ｕ、周方向Ｖ及び厚さ方向Ｔを有する。ただし、周方向Ｖは、後述のコンテナ本体１０における胴部１１の側面１１Ｓを、底面１１Ｂに平行に、側面１１Ｓに沿って周回する方向である。厚さ方向Ｔは、後述の側面１１Ｓの厚さの方向である。図１に描かれたフレキシブルコンテナ１でいえば、図の上方（上側）及び下方（下側）をそれぞれ上下方向Ｕの上方（上側）及び下方（下側）とする。図の左方（左側）及び右方（右側）をそれぞれ周方向Ｖの左方（左側）及び右方（右側）とする。そして、図の紙面に対して手前方向（前側）及び奥行方向（奥側）をそれぞれ厚さ方向Ｔの内方（内側）及び外方（外側）とする。これらの定義は、フレキシブルコンテナ１に取り付けられた状態の各資材にも共通に用いられる。
【００２２】
フレキシブルコンテナ１は、コンテナ本体１０と、複数の補強布２０と、一枚の補強布２０につき少なくとも二本の吊りベルト３０と、を備えており、本実施形態では、更に、コンテナ本体１０を補強する胴巻きベルト４０と、吊りベルト３０を吊るための吊りロープ５０とを備えている。
【００２３】
コンテナ本体１０は、穀物のような粉粒体を収納する容器であり、胴部１１と投入部１２と排出部１３とを備えている。
【００２４】
胴部１１は、穀物のような粉粒体を収納する部分であり、本実施形態では、４つの側面１１Ｓと頂面１１Ｔと底面１１Ｂとで形成される直方体の形状を有している。ただし、直方体は、角や稜の一部又は全部が丸みを帯びていてもよく、底面１１Ｂ及び／又は頂面１１Ｔに対して、側面１１Ｓが９０°で交わらず、９０°±５°で交わってもよい。また、直方体は、粉粒体の収納量が少なく側面１１Ｓが内側に窪んだり、粉粒体を収納して側面１１Ｓが外側に膨らんだりしてもよい。なお、胴部１１は、直方体の形状に限定されず、円筒や多角形筒のような他の形状であってもよい。
【００２５】
投入部１２は、粉粒体を投入する投入口及びその蓋であり、胴部１１の頂部に位置する。本実施形態では、投入部１２は、胴部１１の頂面１１Ｔに位置する。投入部１２の構成としては、特に制限はなく、公知の投入部（投入口）の構成を用いることができる。
【００２６】
排出部１３は、粉粒体を排出する排出口及びその蓋であり、胴部１１の底部に位置する。本実施形態では、排出部１３は、胴部１１の底面１１Ｂに位置する。排出部１３の構成としては、特に制限はなく、公知の排出部（排出口）の構成を用いることができる。
【００２７】
複数の補強布２０は、胴部１１における周方向Ｖの複数の箇所に、所定の間隔で、厚さ方向Ｔの外側から縫着されている。本実施形態では、４枚の補強布２０の各々が、胴部１１の４つの側面１１Ｓの各々における周方向Ｖの中央、かつ、上下方向Ｕの上方の箇所に縫着されている。補強布２０は、胴部１１にどのように縫着されてもよいが、補強布２０の上下方向Ｕの下方の端縁は、胴部１１に縫着されていない。
【００２８】
二本の吊りベルト３０は、複数の補強布２０の各々に、厚さ方向Ｔの外側から、胴部１１と共に縫着されている。図４は、実施形態に係るフレキシブルコンテナ１の吊りベルト３０の構成例を示す正面図である。吊りベルト３０は、帯状の部材３４であり、中央部３３と、一方の端部である第１端部３１と、他方の端部ある第２端部３２と、を含んでいる。本実施形態では、中央部３３は、補強部材３５で補強されている。ここでは、中央部３３を全体の長さの５０％の部分とし、第１端部３１を全体の長さの２０％とし、第２端部３２を全体の長さの３０％とする。ただし、長さの関係はこの例に限定されるものではない。
【００２９】
図５は、実施形態に係るフレキシブルコンテナ１の吊りベルト３０と補強布２０との結合を説明する図である。二本の吊りベルト３０の各々は、中央部３３をループ状に折り曲げられ、両端部（第１端部３１及び第２端部３２）が中央部３３よりも上下方向Ｕの下方に位置するように補強布２０に縫着されている。二本の吊りベルト３０において、第１端部３１はいずれも補強布２０における周方向Ｖの中央の部分に、第２端部３２は、それぞれ補強布２０における周方向Ｖの一方側及び他方側の外寄りの部分に、それぞれ縫着されている。縫着のパターンとしては、特に制限はないが、本実施形態では、上下方向に延びるダイヤモンド型のパターンと周方向Ｖに平行な直線パターンとの組み合わせを用いている。なお、補強布２０に二本の吊りベルト３０に加えて、更に別の吊りベルトが同様に取り付けられていてもよい。
【００３０】
第１端部３１と第２端部３２とは周方向Ｖに隣り合っている。第１端部３１と第２端部３２との距離は、特に制限はないが、近過ぎると縫着し難くなる観点及び遠過ぎると強度が下がる観点から、第１端部３１及び／又は第２端部３２の周方向Ｖの長さ（幅）の０．０１〜１倍が好ましく、０．０２〜０．８倍がより好ましく、０．０３〜０．６倍が更に好ましい。
【００３１】
第１端部３１は、第２端部３２よりも上下方向Ｕの上方に位置している。言い換えると、第１端部３１における上下方向Ｕの下方の端縁３１Ｅは、第２端部３２における上下方向Ｕの下方の端縁３２Ｅに対して、上下方向Ｕの上方に離間している。第１端部３１の端縁３１Ｅと第２端部３２の端縁３２Ｅとの上下方向Ｕの距離としては、小さ過ぎても大き過ぎても下記の効果を得られ難くなる観点から、第１端部３１の端縁３１Ｅの周方向Ｖの長さ（幅）の０．３〜４倍が好ましく、０．５〜２倍がより好ましい。
【００３２】
また、前述のように、補強布２０は、補強布２０の上下方向Ｕの下方の端縁２０Ｅ３を、胴部１１に縫着されていない。本実施形態では、強度を高める観点から、補強布２０は、補強布２０における周方向Ｖの両側の端縁２０Ｅ２を、上下方向Ｕに沿って胴部１１に縫着部２２として縫着されている。同様に、補強布２０は、補強布２０における上下方向Ｕの上方の端縁２０Ｅ１を、周方向Ｖに沿って胴部１１に縫着部２１として縫着されている。その結果、胴部１１に縫着されていない補強布２０の範囲は、両側の端縁２０Ｅ２を除いて、下側の端縁２０Ｅ３から、第１端部３１の下側の端縁３１Ｅ及び第２端部３２の下側の端縁３２Ｅまでの範囲である。
【００３３】
フレキシブルコンテナ１を構成する、コンテナ本体１０（胴部１１、投入部１２、及び排出部１３）、複数の補強布２０、少なくとも二本の吊りベルト３０、胴巻きベルト４０、及び吊りロープ５０のような部材は、例えば、ポリエチレンやポリプロピレンのようなポリオレフィン系の合成樹脂製の公知の材料（例示：合成樹脂製の織布、帯材、ロープ材、シート材など）を用いて形成できる。それらの部材は、縫製などの公知の手段により互いに結合される。
【００３４】
コンテナ本体が上下方向の上方へ持ち上げられるとき、コンテナ本体では、吊りベルトの端部が縫着された縫着部分には上方に向かう力が加わり、その縫着部分よりも下方の下方部分には、コンテナ本体の内容物による下方に向かう荷重が加わる。ここで、フレキシブルコンテナの強度が十分でないと、その下方部分、特に、縫着部分との境界の部分が荷重に耐えきれずに裂けてしまい、そこからコンテナ本体全体に裂け目が拡がってしまうおそれがある。
【００３５】
ここで、発明者の検討により、以下の知見が得られた。コンテナ本体を持ち上げると、コンテナ本体の胴部では、その下方部分、特に、縫着部分との境界の部分のうちの周方向の中央の部分が主に荷重を支えている。それと共に、コンテナ本体の胴部では、その中央の部分から両側の斜め下方へ向かう部分でも荷重を強く支えている。すなわち、その中央の部分から周方向の両外側（縫着部分よりも外側も含む）かつ上下方向の下方へ向かう部分でも荷重を強く支えている。
【００３６】
そこで、本実施形態のフレキシブルコンテナ１では、二本の吊りベルト３０における第１端部３１は、補強布２０における周方向Ｖの中央の部分に縫着され、第２端部３２は、補強布２０における周方向Ｖの一方側及び他方側の外寄りの部分に縫着され、かつ、中央の第１端部３１は両外寄りの第２端部３２よりも上下方向Ｕの上方に位置している。それにより、二本の吊りベルト３０の各々では、第２端部３２が、第１端部３１に対して、上下方向Ｕの下方かつ周方向Ｖの外側に、すなわち斜め下側に位置している。言い換えると、中央の部分に位置する第１端部３１に対し、第２端部３２は、中央の部分の斜め下方へ向かう部分に位置している。したがって、第２端部３２は、コンテナ本体１０の胴部１１における荷重を強く支えている部分に縫着されている。
【００３７】
したがって、第２端部３２を介して吊りベルト３０で、第１端部３１の斜め下側に位置する荷重を強く支えている部分を吊り上げることができ、それにより、第１端部３１の下方部分での荷重の負担を低減することができる。すなわち、第１端部３１の下方部分で起こり易いコンテナ本体１０の破袋を抑制できるので、フレキシブルコンテナ１の強度を実質的に向上させることができる。よって、コンテナ本体１０を破袋し難くすることができ、フレキシブルコンテナ１を安全に使用（充填、保管、輸送など）することができる。
【００３８】
本実施形態では、好ましい態様として、図１や図５に示すように、二本の吊りベルト３０の一方における第１端部３１と、二本の吊りベルト３０の他方における第１端部３１とは、厚さ方向Ｔに積層されている。すなわち、胴部１１と補強布２０と二本の吊りベルト３０の二つの第１端部３１とが互いに積層され、互いに縫着されている。
【００３９】
ただし、二本の吊りベルト３０の二つの第１端部３１との重なり具合は、周方向Ｖに互いに一部分が重なっていてもよいし、互いに全部が重なっていてもよい（本実施形態）。重なりの程度としては、強度の観点から、周方向Ｖに互いに、周方向Ｖの長さの２０％以上が重なることが好ましく、５０％以上が重なることがより好ましく、８０％以上が重なることが更に好ましい。同様に、二本の吊りベルト３０の二つの第１端部３１との重なり具合は、上下方向Ｕに互いに一部分が重なっていてもよいし、互いに全部が重なっていてもよい（本実施形態）。重なりの程度としては、強度の観点から、上下方向Ｕに互いに、上下方向Ｕの長さの５０％以上が重なることが好ましく、７０％以上が重なることがより好ましく、９０％以上が重なることが更に好ましい。
【００４０】
この態様では、二本の吊りベルト３０における第１端部３１の補強布２０及び胴部１１への縫着が、第１端部３１一つ分に削減されている。そのため、縫着（の縫目）により生じ得る補強布２０及び胴部１１の強度の低下を抑制できる。それにより、コンテナ本体１０の破袋をより抑制できる。
【００４１】
本実施形態では、好ましい態様として、図５に示すように、補強布２０は、補強布２０における周方向Ｖの両側の端縁２０Ｅ２を、上下方向Ｕに沿って胴部１１に縫着部２２として縫着されている。そして、二本の吊りベルト３０における第２端部３２の上下方向Ｕの下方の端縁３２Ｅは、補強布２０における上下方向Ｕの下方の端縁２０Ｅ３に対して、上下方向Ｕの上方に離間している。第２端部３２の端縁３２Ｅと補強布２０の端縁２０Ｅ３との上下方向Ｕの距離としては、強度の観点から、第２端部３２の端縁３２Ｅの周方向Ｖの長さ（幅）の０．３〜４倍が好ましく、０．５〜２倍がより好ましい。
【００４２】
この態様では、補強布２０における周方向Ｖの両側の端縁２０Ｅ２の縫着部２２のうち、上下方向Ｕの下方に位置する部分は、二本の吊りベルト３０における第１端部３１に対して、上下方向Ｕの下方かつ周方向Ｖの外側に、すなわち斜め下側に位置している。言い換えると、補強布２０の中央の部分に位置する第１端部３１に対し、補強布２０の縫着部２２は、中央の部分の斜め下方へ向かう部分に位置している。したがって、補強布２０の縫着部２２は、第２端部３２と同様に、コンテナ本体１０の胴部１１における荷重を強く支えている部分に縫着されている。そのため、補強布２０の縫着部２２は、中央の部分の斜め下方へ向かう部分に位置している。したがって、補強布２０の縫着部２２で、第１端部３１の斜め下方に位置する荷重を強く支えている部分を支持することができ、それにより、第１端部３１の下方部分での荷重の負担をより低減することができる。よって、コンテナ本体１０の破袋をより抑制できる。
【００４３】
図６は、実施形態に係るフレキシブルコンテナ１の吊りベルト３０の位置を説明する図である。本実施形態では、好ましい態様として、図６に示すように、略直方体の胴部１１の四つの側面１１Ｓの各々において、二本の吊りベルト３０の各々における第１端部３１は、周方向Ｖの中央に位置している。一方、各側面１１Ｓにおいて、二本の吊りベルト３０の各々における第２端部３２は、傾斜領域Ｒ内に位置している。ただし、傾斜領域Ｒは、当該第１端部３１における上下方向Ｕの下方の端縁３１Ｅのうちの周方向Ｖの中心３１Ｐと、側面１１Ｓにおける上下方向Ｕの下方の角のうちの当該第２端部３２側の角１０Ｃと、を結ぶ仮想的な傾斜線Ｋ１を含んだ、所定幅を有する領域である。
【００４４】
傾斜領域Ｒは、上下方向Ｕには、第１端部３１の端縁３１Ｅを超えない範囲で、傾斜線Ｋ１に沿って延びる略帯状の領域である。傾斜領域Ｒは、傾斜線Ｋ１の上下方向Ｕの両側に位置し、好ましくは、傾斜線Ｋ１の上下方向Ｕの上側に位置する。所定幅（傾斜線Ｋ１に垂直な方向の幅）は、最大で傾斜線Ｋ１の長さの１／２であり、好ましくは１／４であり、更に好ましくは１／６である。所定幅は一定である必要はなく、傾斜線Ｋ１の位置に対応して変動してもよい。本実施形態では、傾斜領域Ｒは、傾斜線Ｋ１を境界線として、傾斜線Ｋ１の上下方向Ｕの上方に区画される領域であり、第２端部３２の周方向Ｖの内側の端３２Ｑを含んでいる。所定幅は、傾斜線Ｋ１と、その領域の他の境界線との距離である。具体的には、傾斜領域Ｒは、図６に示すように、傾斜線Ｋ１を下辺として、傾斜線Ｋ１の上方に区画される台形状の領域であり、所定幅は下辺と、上辺又は台形の脚との距離である。なお、傾斜線の角１０Ｃが丸みを帯びている場合には、隣り合う二つの側面１１Ｓ及び底面１１Ｂの各々の主要部分（例示：５０％以上）を構成する平面同士が交わる点とする。
【００４５】
この態様では、所定幅の傾斜領域Ｒは、コンテナ本体１０の胴部１１における荷重を強く支える、中央の部分から両側の斜め下方へ向かう部分に概ね対応すると考えらえる。したがって、第２端部３２を、傾斜領域Ｒに縫着する、すなわち、コンテナ本体１０の胴部１１における荷重を強く支えている部分に縫着することで、第２端部３２を介して吊りベルト３０で、傾斜領域Ｒの負担をより低減することができる。それにより、コンテナ本体１０の破袋をより抑制できる。
【００４６】
本実施形態では、好ましい態様として、図６に示すように、傾斜線Ｋ１が側面１１Ｓにおける上下方向Ｕの下方の端縁１１Ｅ２と成す角βは、４５°±２０°である。なお、側面１１Ｓの端縁１１Ｅ２が丸みを帯びている場合には、隣り合う側面１１Ｓ及び底面１１Ｂの主要部分（例示：５０％以上）を構成する平面同士が交わる線とする。
【００４７】
この態様では、角βが４５°±２０°の範囲に入るので、傾斜線Ｋ１を含む傾斜領域Ｒが、コンテナ本体１０の胴部１１の荷重を強く支える、中央の部分から両側の斜め下方へ向かう部分に、より対応すると考えらえる。それゆえ、第２端部３２を介して吊りベルト３０で、傾斜領域Ｒの負担をより低減することができ、よって、コンテナ本体１０の破袋をより抑制できる。
【００４８】
本実施形態では、好ましい態様として、図６に示すように、二本の吊りベルト３０の一方に関する傾斜線Ｋ１と二本の吊りベルト３０の他方に関する傾斜線Ｋ１とが上下方向Ｕの下方に成す角αは、９０°±４０°である。
【００４９】
この態様では、角αが９０°±４０°の範囲に入るので、傾斜線Ｋ１を含む傾斜領域Ｒは、コンテナ本体１０の胴部１１の荷重を強く支える、中央の部分から両側の斜め下方へ向かう部分に、より対応すると考えらえる。それゆえ、第２端部３２を介して吊りベルト３０で、傾斜領域Ｒの負担をより低減することができ、よって、コンテナ本体１０の破袋をより抑制できる。
【００５０】
本実施形態では、好ましい態様として、図６に示すように、胴部１１は、織物で形成されており、増織り領域１４を含んでいる。増織り領域１４は、胴部１１（の側面１１Ｓ）における上下方向Ｕの一方の端縁１１Ｅ１から他方の端縁１１Ｅ２まで延び、かつ補強布２０と重なる領域であり、上下方向Ｕに延びる構成繊維が他の領域よりも多く織り込まれた領域である。すなわち、胴部１１の増織り領域１４では、胴部１１の他の領域と比較して、上下方向Ｕに延びる構成繊維である経糸を、周方向Ｖに延びる構成繊維である緯糸よりも多く織り込んでいる。多くする割合としては、例えば、胴部１１の他の領域での経糸の本数に対して、胴部１１の増織り領域１４での経糸の本数を２倍程度とする。具体的には、例えば、胴部１１の他の領域での経糸の繊度を１０００〜２０００Ｄとしたとき、胴部１１の増織り領域１４での経糸の繊度を２５００〜４０００Ｄとする。
【００５１】
この態様では、胴部１１が増織り領域１４を含むため、胴部１１において、二本の吊りベルト３０の第１端部３１及び第２端部３２に縫着される部分や、荷重が掛かる両第１端部３１及び第２端部３２の下側部分の強度を高めることができ、耐荷重を高めることができる。したがって、コンテナ本体１０が複数の吊りベルト３０で持ち上げられるとき、コンテナ本体１０の内容物の荷重でコンテナ本体が破袋することを抑制できる。
【００５２】
本実施形態では、好ましい態様として、図６に示すように、胴部１１を囲むように胴巻きベルト４０を更に備えている。胴巻きベルト４０は、胴部１１に縫着されるとき、上下方向Ｕに沿った縫製はされていない。すなわち、胴巻きベルト４０は、胴部１１に縫着されるとき、周方向Ｖに沿った縫製がされている。それにより、胴部１１に上下方向Ｕに沿った縫目が無いので、上下方向Ｕの力（圧縮、引張）が加わっても、胴部１１を上下方向Ｕに裂け難くすることができる。よって、コンテナ本体１０を破袋し難くすることができ、フレキシブルコンテナ１を安全に使用（充填、保管、輸送など）することができる。
【００５３】
なお、別の実施形態として、補強布は、前記補強布における前記上下方向の下側かつ前記周方向の一方側の端縁の位置フレキシブルコンテナ１が、各補強布２０につき、二本の吊りベルト３０に加えて更に吊りベルトを備えてもよい。その場合、更に備える吊りベルトは偶数本が好ましい。例えば、図６には、二本の吊りベルト３０の両側に二本（偶数本）の吊りベルト３０ａが仮想的に描かれている。この場合、吊りベルトが縫着される領域が広くなるため、それに対応して、上下方向Ｕ及び周方向Ｖに補強布２０が拡張された補強布２０ａが仮想的に描かれている。更に、それに対応して、周方向Ｖに増織り領域１４が拡張された増織り領域１４ａが仮想的に描かれている。二本の吊りベルト３０ａの第１端部は、いずれも補強布２０ａにおける周方向Ｖの中央の部分に、両第２端部は、それぞれ補強布２０ａにおける周方向Ｖの一方側及び他方側の外寄りの部分に、それぞれ縫着され、第１端部は、第２端部よりも上下方向Ｕの上方に位置する。このとき、吊りベルト３０ａの第１端部は、吊りベルト３０の第１端部３１又は第２端部３２と積層されて縫着される。吊りベルト３０ａの第２端部は、吊りベルト３０の第２端部３２よりも周方向Ｖの外側かつ上下方向Ｕの下方の位置であって、傾斜領域Ｒ内に縫着される。吊りベルト３０ａの第２端部が傾斜領域Ｒ内に縫着されることで、吊りベルト３０ａの第２端部を介して吊りベルト３０ａで、傾斜領域Ｒの負担をより低減することができる。それにより、コンテナ本体１０の破袋をより抑制できる。
【００５４】
また、別の実施形態として、補強布２０は、補強布２０における上下方向Ｕの下側の端縁２０Ｅ３の一方側の端と他方側の端とをつなぐように、上下方向Ｕの上側に凸な曲線状に、補強布２０を胴部１１に縫着する縫着部（縫目）を含んでもよい。この場合、その縫着部（縫目）は、概ね傾斜領域Ｒ内に縫着されるので、その縫着部（縫目）で、傾斜領域Ｒの負担をより低減することができる。それにより、コンテナ本体１０の破袋をより抑制できる。その際、その縫着部（縫目）は、二本の吊りベルト３０における第１端部３１及び第２端部３２の少なくとも一方と重なってもよい。
【００５５】
また、別の実施形態として、本実施形態では、各補強布２０及び各補強布２０につき少なくとも二本の吊りベルト３０が、胴部１１の厚さ方向Ｔの外側に取り付けられているが、それらのいずれかが胴部１１の厚さ方向Ｔの内側に取り付けられていてもよい。
【実施例】
【００５６】
以下、実施例に基づき、本発明を説明するが、本発明は本実施例に限定されない。本実施例では、フレキシブルコンテナを作製し、その強度を測定した。
【００５７】
（１）サンプル
実施例１のサンプルとして、図１に記載のフレキシブルコンテナ１であるが、二本の吊りベルト３０における第２端部３２の上下方向Ｕの下方の端縁３２Ｅが、補強布２０における上下方向Ｕの下方の端縁２０Ｅ３に対して、上下方向Ｕの上方に離間していないフレキシブルコンテナを作製した。
実施例２のサンプルとして、図１に記載のフレキシブルコンテナ１（二本の吊りベルト３０における第２端部３２の上下方向Ｕの下方の端縁３２Ｅが、補強布２０における上下方向Ｕの下方の端縁２０Ｅ３に対して、上下方向Ｕの上方に離間している）を作製した。
比較例１のサンプルとして、図１に記載のフレキシブルコンテナを、二本の吊りベルトにおける第１端部の上下方向の下方の端縁の位置が、第２端部の上下方向の下方の端縁の位置と同じになるように変更したフレキシブルコンテナを作製した。
【００５８】
（２）評価方法
ＪＩＳ  Ｚ  １６５１（非危険物用フレキシブルコンテナ）のコンテナの製品性能試験における繰り返し頂部つり上げ試験を行った。具体的には、各サンプルに内容物（穀物）を充填し、吊り具により吊り上げ、負荷（荷重）、除荷及び休止を繰り返し、破袋が生じる最低荷重を、各サンプルの強度とした。
【００５９】
（３）評価結果
比較例１の強度は、３１．６６＋９．８ｋＮであった。一方、実施例１の強度は３５．７４＋９．８ｋＮであり、強度が向上することが判明した。実施例２の強度は５５．５８＋９．８ｋＮであり、更に大きく強度が向上することが判明した。
【００６０】
本発明のフレキシブルコンテナは、上述した各実施形態に制限されることなく、本発明の目的、趣旨を逸脱しない範囲内において、適宜組合せや変更等が可能である。
【符号の説明】
【００６１】
１    フレキシブルコンテナ
１１    胴部
１０    コンテナ本体
２０    補強布
３０    吊りベルト
３１    第１端部
３２    第２端部
２０Ｅ３    端縁
【要約】
【課題】強度が改善されたコンテナ本体が破袋し難いフレキシブルコンテナを提供する。
【解決手段】フレキシブルコンテナ１は、胴部１１を含むコンテナ本体１０と、胴部における複数の箇所に縫着された複数の補強布２０と、複数の補強布の各々と共に、胴部と共に縫着された少なくとも二本の吊りベルト３０と、を備える。吊りベルトは、中央部をループ状に折り曲げられ、両端部が中央部よりも下側に位置するように補強布に縫着される。二本の吊りベルトにおいて、両端部のうちの一方である第１端部３１はいずれも補強布における中央の部分に、両端部のうちの他方である第２端部３２は、それぞれ補強布における一方側及び他方側の外寄りの部分に、それぞれ縫着される。第１端部は、第２端部よりも上下方向の上方に位置する。補強布の下側の端縁２０Ｅ３は、胴部に縫着されていない。
【選択図】図１【図１】
0006845494.tif 000002
【図２】
0006845494.tif 000003
【図３】
0006845494.tif 000004
【図４】
0006845494.tif 000005
【図５】
0006845494.tif 000006
【図６】
0006845494.tif 000007